(57)【要約】【課題】羽根車の回転を円滑に行うことができ、マッサージ効果を向上することができるシャワーヘッドを提供する。【解決手段】本体部１２の水室１２ｃの開口部に散水孔１３ｅを有する散水キャップ１３を接合し、散水キャップ１３の上流側に旋回水流発生部材１６を嵌入固定し、散水キャップ１３と旋回水流発生部材１６の間に羽根車１７を回転可能に収容する。散水キャップ１３の平板部１３ｂと羽根車１７の平板部１７ｂとの間に隙間ｇを形成する。旋回水流発生部材１６によって生じた旋回水流を羽根車１７の羽根１７ｅに当てて、羽根車１７を軸部１７ｃ及び凸部１７ｆを中心に回転させる。羽根車１７の平板部１７ｂに局部的に形成された開口１７ｄを旋回させることによって、開口１７ｄから散水キャップ１３の散水孔１３ｅに供給される水を途切れることなく、かつ水量が交互に変化するシャワー水として身体に噴射する。【選択図】図１
2011161023.tif 000002
【特許請求の範囲】
【請求項１】
本体部の水室の開口部に複数の散水孔を形成した散水キャップを接合し、該散水キャップの上流側の水室内に羽根車を所定位置において旋回水流によって回転可能に収容し、前記羽根車を構成する開口を有する基板と、前記散水キャップの内面との間に隙間を形成したことを特徴とするシャワーヘッド。
【請求項２】
請求項１において、前記羽根車の上流側の水室内の所定位置に旋回水流発生部材を設け、前記羽根車の基板の外周縁には筒部が設けられ、該筒部の内周面には複数枚の羽根が設けられていることを特徴とするシャワーヘッド。
【請求項３】
請求項１又は２において、前記羽根車の開口は、前記基板の外周側に設けられていることを特徴とするシャワーヘッド。
【請求項４】
請求項２又は３において、前記旋回水流発生部材は筒部と、該筒部の内側に設けられた平面視扇状をなす複数枚の傾斜板と、各傾斜板の対向する端縁の間に形成された複数の開口とにより構成されていることを特徴とするシャワーヘッド。
【請求項５】
請求項２〜４のいずれか一項において、前記旋回水流発生部材の中心部には、前記羽根車の中心部に設けた軸部を回転可能に支持する軸受部が形成され、前記羽根車の基板の中心部には、前記散水キャップの内面の中心部に形成した凹部又は凸部に係合される凸部又は凹部が形成されていることを特徴とするシャワーヘッド。
【請求項６】
請求項４又は５において、前記旋回水流発生部材の開口は、偶数又は奇数に設定され、前記羽根車の羽根は、奇数又は偶数に設定されていることを特徴とするシャワーヘッド。
【請求項７】
請求項１〜６のいずれか一項において、前記散水キャップの散水孔は先端程小径となるテーパ状に形成されていることを特徴とするシャワーヘッド。
【発明の詳細な説明】
【技術分野】
【０００１】
本発明は、噴射される水量を変化させて身体に当てることによりマッサージ効果を向上することができるシャワーヘッドに関する。
【背景技術】
【０００２】
シャワーヘッドとして、従来、特許文献１に開示されたものが提案されている。このシャワーヘッドは、本体部に形成された水室の開口部に散水キャップが接合され、前記水室の内部に二つの切欠部を有する二枚の遮断板が旋回可能に収容されている。前記遮断板に軸を介して連結された回転翼に旋回水流が当てられると、回転翼、軸及び遮断板が旋回され、散水キャップの散水孔に供給される水が断続的に変化して、水の断続流が人体に当てられるので、マッサージ効果を高めることができる。
【先行技術文献】
【特許文献】
【０００３】
【特許文献１】実開昭６２−１９７３３５号公報
【発明の概要】
【発明が解決しようとする課題】
【０００４】
ところが、特許文献１に開示されたシャワーヘッドは、遮断板が散水キャップに面接触されているので、旋回流によって遮断板を旋回させるための旋回トルクが大きくなって、散水される水量と流速が低下して、マッサージ効果を向上することができないという問題があった。又、散水キャップの散水孔から噴射される水が断続するパルス状のシャワー水となって放出されるので、シャワー水の噴射速度が低下し、マッサージ効果を向上することができない。
【０００５】
本発明は、上記従来の技術に存する問題点を解消して、羽根車の回転を円滑に行うことができるとともに、マッサージ効果を向上することができるシャワーヘッドを提供することにある。
【課題を解決するための手段】
【０００６】
上記問題点を解決するために、請求項１に記載の発明は、本体部の水室の開口部に複数の散水孔を形成した散水キャップを接合し、該散水キャップの上流側の水室内に羽根車を所定位置において旋回水流によって回転可能に収容し、前記羽根車を構成する開口を有する基板と、前記散水キャップの内面との間に隙間を形成したことを要旨とする。
【０００７】
請求項２に記載の発明は、請求項１において、前記羽根車の上流側の水室内の所定位置に旋回水流発生部材を設け、前記羽根車の基板の外周縁には筒部が設けられ、該筒部の内周面には複数枚の羽根が設けられていることを要旨とする。
【０００８】
請求項３に記載の発明は、請求項１又は２において、前記羽根車の開口は、前記基板の外周側に設けられていることを要旨とする。
請求項４に記載の発明は、請求項１〜３のいずれか一項において、前記旋回水流発生部材は筒部と、該筒部の内側に設けられた平面視扇状をなす複数枚の傾斜板と、各傾斜板の対向する端縁の間に形成された複数の開口とにより構成されていることを要旨とする。
【０００９】
請求項５に記載の発明は、請求項１〜４のいずれか一項において、前記旋回水流発生部材の中心部には、前記羽根車の中心部に設けた軸部を回転可能に支持する軸受部が形成され、前記羽根車の基板の中心部には、前記散水キャップの内面の中心部に形成した凹部又は凸部に係合される凸部又は凹部が形成されていることを要旨とする。
【００１０】
請求項６に記載の発明は、請求項４又は５において、前記旋回水流発生部材の開口は、偶数又は奇数に設定され、前記羽根車の羽根は、奇数又は偶数に設定されていることを要旨とする。
【００１１】
請求項７に記載の発明は、請求項１〜６のいずれか一項において、前記散水キャップの散水孔は先端程小径となるテーパ状に形成されていることを要旨とする。
（作用）
この発明は、散水キャップの内面と羽根車の基板との間に隙間が形成されているので、羽根車が旋回されて、開口が旋回される際に、水が分断されることはなく、噴射されるシャワー水の水量が繰り返し増減変化して連続的な、しかも強弱のあるシャワー水となって身体に当てられる。この結果、断続的なパルス状のシャワー水と比較して、マッサージ効果が高められる。又、散水キャップと羽根車の基板との接触面積を少なくして、羽根車の回転時における両部材の接触抵抗を低減して、羽根車を適正に回転することができ、シャワー水の噴射を適正に行い、マッサージ効果を向上することができる。
【発明の効果】
【００１２】
本発明によれば、羽根車の回転を円滑に行うことができるとともに、マッサージ効果を向上することができる。
【図面の簡単な説明】
【００１３】
【図１】この発明のシャワーヘッドを具体化した一実施形態を示す中央部縦断面図。
【図２】散水キャップの正面図。
【図３】散水キャップの背面図。
【図４】散水キャップの側面図。
【図５】散水キャップの中央部縦断面図。
【図６】旋回水流発生部材の斜視図。
【図７】旋回水流発生部材の平面図。
【図８】図７の１−１線断面図。
【図９】図７の２−２線断面図。
【図１０】図７の３−３線断面図。
【図１１】羽根車の斜視図。
【図１２】羽根車の平面図。
【図１３】（ａ）（ｂ）は、この発明のシャワーヘッドの別の実施形態を示す旋回水流発生部材の平面図。
【図１４】（ａ）（ｂ）は、この発明のシャワーヘッドの別の実施形態を示す羽根車の平面図。
【図１５】この発明のシャワーヘッドの別の実施形態を示す縦断面図。
【図１６】この発明のシャワーヘッドの別の実施形態を示す縦断面。
【発明を実施するための形態】
【００１４】
以下、本発明を具体化したシャワーヘッドの一実施形態を図１〜図１２にしたがって説明する。
図１に示すように、シャワーヘッド１１の本体部１２は図示しない取っ手部の先端部に脱着可能に連結される。前記本体部１２の基端部には給水路１２ａが形成され、該給水路１２ａの先端部には小径の絞り通路１２ｂが形成されている。本体部１２には有底円筒状の水室１２ｃが形成され、給水路１２ａから前記絞り通路１２ｂを通して水室１２ｃに水が導かれるようになっている。
【００１５】
前記本体部１２の水室１２ｃの開口部を形成するボス部１２ｄには、雄ネジ部が形成され、前記ボス部１２ｄには、散水キャップ１３がシールリング１４を介して接合されている。前記雄ネジ部に螺合された締付リング１５によって前記ボス部１２ｄに散水キャップ１３が締め付け固定されている。
【００１６】
次に、図１〜図５に基づいて、前記散水キャップ１３の構成について説明する。
図１，５に示すように、散水キャップ１３の円筒部１３ａの一端縁には、平板部１３ｂが一体に成形されている。前記円筒部１３ａの外周面には、前記本体部１２のボス部１２ｄの端面に当接されるフランジ部１３ｃが一体に成形されている。前記平板部１３ｂには多数箇所に大径の孔１３ｄと、該孔１３ｄと直列に成形されたテーパ状をなす小径の散水孔１３ｅが成形されている。これらの散水孔１３ｅによって、前記水室１２ｃ内の水が散水されるようになっている。図５に示すように、前記散水孔１３ｅは平板部１３ｂの表面に一体に形成された半球状の凸部１３ｆの中心部に開口されている。この実施形態では、図２に示すように、平板部１３ｂの中心部は、散水孔１３ｅが省略されている。
【００１７】
次に、図１、図６〜図１０に基づいて、前記本体部１２の水室１２ｃ内に収容された旋回水流発生部材１６について説明する。
この旋回水流発生部材１６は、前記散水キャップ１３から水室１２ｃの内方に所定の間隔をおいて収容されている。図１，６に示すように、旋回水流発生部材１６の円筒部１６ａの外周面には、前記本体部１２の水室１２ｃの内周面に形成された複数の係止段部１２ｅに係止されるフランジ部１６ｂが一体に形成されている。該フランジ部１６ｂは、前記散水キャップ１３の円筒部１３ａの内端面によって係止段部１２ｅに締め付け固定されている。
【００１８】
前記旋回水流発生部材１６の円筒部１６ａの内周面には、第１及び第２傾斜板１６ｃ，１６ｄが一体に成形されている。前記第１及び第２傾斜板１６ｃ，１６ｄは図６及び図７に示すようにそれぞれ平面視半円（扇）形状に形成されるとともに、円筒部１６ａの円周方向に関して旋回水流発生部材１６の軸方向への高さが連続的に変化するように形成されている。そして、第１及び第２傾斜板１６ｃ，１６ｄの互いに対応する端縁を、図６に示すように旋回水流発生部材１６の軸方向に変位させて、第１及び第２開口１６ｅ，１６ｆを形成している。前記第１及び第２開口１６ｅ，１６ｆは、第１及び第２傾斜板１６ｃ，１６ｄの端縁に一体に成形された遮蔽板部１６ｇ、１６ｈによって開口面積が小さくなるように、かつ位置が旋回水流発生部材１６の外周側になるように形成されている。前記円筒部１６ａの中心部には、軸支孔１６ｉを形成した軸受部１６ｊが成形されている。
【００１９】
次に、図１、図１１及び図１２に基づいて、前記散水キャップ１３と旋回水流発生部材１６との間において回転可能に介装された羽根車１７について説明する。
図１１に示すように、前記羽根車１７の円筒部１７ａの一端縁には、基板としての平板部１７ｂが一体に形成され、平板部１７ｂの中心部には、軸部１７ｃが一体に成形されている。前記羽根車１７には前記円筒部１７ａと軸部１７ｃとの間に位置するように長孔状の開口１７ｄが一箇所に貫通形成されている。前記円筒部１７ａの内周面には複数（この実施形態では四）箇所に等ピッチで羽根１７ｅが一体に成形されている。図１２に示すように、一枚の羽根１７ｅは開口１７ｄの中心に配置されている。
【００２０】
図１に示すように、前記羽根車１７の軸部１７ｃは、前記旋回水流発生部材１６の軸支孔１６ｉに回転可能に挿入されている。前記羽根車１７の平板部１７ｂの中心部には、前記軸部１７ｃと反対側に位置するように半球状の凸部１７ｆが一体に形成され、該凸部１７ｆは前記散水キャップ１３の平板部１３ｂの内側の中心部に形成された係止凹部１３ｇに回転可能に係合されている。前記散水キャップ１３の係止凹部１３ｇに羽根車１７の凸部１７ｆを係合することによって、平板部１３ｂの内面と、羽根車１７の平板部１７ｂとの間に隙間ｇが形成されている。
【００２１】
次に、前記のように構成されたシャワーヘッド１１の作用について説明する。
図示しない取っ手部から本体部１２の給水路１２ａに供給された水は、絞り通路１２ｂを介して水室１２ｃに流入する。水室１２ｃ内に供給された水は、前記旋回水流発生部材１６の第１及び第２傾斜板１６ｃ，１６ｄの斜面に押し付けられて、第１及び第２開口１６ｅ，１６ｆに導かれ、第１及び第２開口１６ｅ，１６ｆから旋回流となって前記羽根車１７側に供給される。この旋回水流が羽根車１７の羽根１７ｅに押し付けられるので、羽根車１７が軸部１７ｃ及び凸部１７ｆを中心に回転される。羽根車１７が回転されると、平板部１７ｂに設けた開口１７ｄが旋回され、この開口１７ｄの旋回によって、羽根車１７の平板部１７ｂの上流側の水が前記隙間ｇを通して散水キャップ１３に形成された散水孔１３ｅから外部にシャワー水として噴射される。このシャワー水が身体に当てられることにより身体の洗浄が行われる。
【００２２】
上記実施形態のシャワーヘッドによれば、以下のような効果を得ることができる。
（１）上記実施形態では、前記本体部１２の水室１２ｃの開口部に散水孔１３ｅを有する散水キャップ１３を接合し、散水キャップ１３の上流側に旋回水流発生部材１６を収容するとともに、前記散水キャップ１３と旋回水流発生部材１６の間に羽根車１７を回転可能に収容した。そして、前記散水キャップ１３の平板部１３ｂと、羽根車１７の平板部１７ｂとの間に隙間ｇを設けた。このため、羽根車１７が旋回されて、開口１７ｄが旋回される際に、水が分断されることがないので、水量が交互に変化する連続的なシャワー水によって身体の洗浄効果及びマッサージ効果が高められることが判った。
【００２３】
（２）上記実施形態では、前記散水キャップ１３の平板部１３ｂの中央部に係止凹部１３ｇを設け、羽根車１７の平板部１７ｂの中央部に前記係止凹部１３ｇに係合される凸部１７ｆを設けた。そして、散水キャップ１３の平板部１３ｂと羽根車１７の平板部１７ｂとの間に隙間ｇを設けた。このため、散水キャップ１３と羽根車１７との接触面積を少なくして、羽根車１７の回転抵抗を低減し、羽根車１７を高速で回転させることができる。従って、羽根車１７の開口１７ｄの旋回を高速で行い、散水キャップ１３の散水孔１３ｅからシャワー水を勢いよく噴射することができ、身体の洗浄効果及びマッサージ効果を向上することができる。
【００２４】
（３）上記実施形態では、散水キャップ１３の散水孔１３ｅの先端部と対応して、散水キャップ１３の平板部１３ｂの表面に凸部１３ｆを設けたので、人体の肌を凸部１３ｆによって機械的にマッサージすることができる。
【００２５】
（４）上記実施形態では、旋回水流発生部材１６の円筒部１６ａの内部に第１及び第２傾斜板１６ｃ，１６ｄを形成し、第１及び第２傾斜板１６ｃ，１６ｄの対向する端部に第１及び第２開口１６ｅ，１６ｆを形成した。このため、旋回水流を適正に発生させることができるとともに、旋回水流を前記第１及び第２開口１６ｅ，１６ｆから前記羽根車１７の羽根１７ｅにほぼ直交するように照射することができ、羽根車１７の旋回動作を円滑に行うことができる。
【００２６】
（５）上記実施形態では、散水キャップ１３の散水孔１３ｅを先端程小径となるテーパ状に形成したので、隙間ｇから散水孔１３ｅを通して散水される水の速度を速めて、身体の洗浄効果及びマッサージ効果を向上することができる。
【００２７】
（６）上記実施形態では、散水キャップ１３の中心部に散水孔１３ｅが形成されていないので、外周側の散水孔１３ｅから円筒格子状のシャワー水として勢いよく噴射することができ、身体の洗浄効果及びマッサージ効果を向上することができる。
【００２８】
なお、本実施形態は以下のように変更してもよい。
・図１３（ａ）に示すように、前記旋回水流発生部材１６に対し、第１及び第２傾斜板１６ｃ，１６ｄの他に、第３傾斜板１６ｋを設けるとともに、第３開口１６ｌを形成し、遮蔽板部１６ｍを形成してもよい。図１３（ｂ）に示すように、旋回水流発生部材１６に対し、第４傾斜板１６ｎを設けるとともに、第４開口１６ｏを形成し、遮蔽板１６ｐを形成してもよい。これらの場合には、旋回水流発生用の開口が増えるので、旋回水流を適正に発生させることができ、羽根車１７の回転をより円滑に行うことができる。
【００２９】
・図１４（ａ）に示すように、前記羽根車１７の開口１７ｄを、平板部１７ｂの外周側に位置するように、かつ円周方向に等ピッチで三箇所に形成してもよい。又、図１４（ｂ）に示すように、前記羽根車１７の開口１７ｄを、平板部１７ｂの外周側に位置するように、かつ円周方向に等ピッチで三箇所に形成するとともに、前記羽根１７ｅの平面形状を円弧状に形成してもよい。これらの実施形態においては、三つの開口１７ｄは、平板部１７ｂの外周側に形成されているため、羽根車１７が回転されて、各開口１７ｄが旋回されると、散水キャップ１３の外周側の散水孔１３ｅから水が大きい円筒格子状のシャワー水となって勢いよく噴射される。この結果、水量が繰り返し変化するシャワー水を頭皮等に適正に供給することができ、頭皮のマッサージやシャンプーや石鹸の洗浄を効果的に行うことができるとともに、使用水量を低減して省エネルギーを達成することができる。さらに、シャワー水を顔面に当てた場合には、顔面の化粧等の汚れを効果的に落とすことができるとともに、マッサージ効果を高めることができる。
【００３０】
・図示しないが、前記旋回水流発生部材１６の旋回流発生用の開口を奇数箇所又は偶数箇所に等間隔に設け、羽根車１７の開口１７ｄを偶数箇所又は奇数箇所に等間隔に設けるようにしてもよい。仮に、前記旋回水流発生部材１６の開口と、羽根車１７の羽根１７ｅとがそれぞれ偶数の組合せである場合には、各開口から噴射される旋回水流が各羽根１７ｅに有効に作用しない状態が生じて、羽根車１７を回転する力が低下する虞がある。しかし、上記の実施形態においては、羽根車１７の回転がより適正に行われるので、散水キャップ１３の散水孔１３ｅからシャワー水を適正に噴射することができる。好ましい組み合わせとして、図１３（ａ）に示すように、前記旋回水流発生部材１６の開口を三箇所に設定し、図１４（ａ）に示すように、羽根車１７の羽根１７ｅを四箇所に設定する。
【００３１】
・図１５に示すように、前記旋回水流発生部材１６及び羽根車１７の軸部１７ｃを省略し、散水キャップ１３の係止凹部１３ｇを深くするとともに、該係止凹部１３ｇに凸部１７ｆを挿入する。又、本体部１２の水室１２ｃの内周面に形成した旋回水流を発生するノズル孔１２ｆから前記羽根車１７の羽根１７ｅに旋回水流を噴射して、羽根車１７を回転するようにしてもよい。この実施形態では、部品点数を低減することができる。
【００３２】
・図１６に示すように、前記旋回水流発生部材１６を省略し、前記羽根車１７の軸部１７ｃを延長するとともに、該軸部１７ｃに複数枚の羽根１７ｅを取り付け、絞り通路１２ｂから前記羽根１７ｅに水を当てることにより羽根車１７を回転させるようにしてもよい。
【００３３】
・前記旋回水流発生部材１６の第１及び第２傾斜板１６ｃ，１６ｄ及び第１及び第２開口１６ｅ，１６ｆを一箇所、又は五箇所以上にするようにしてもよい。
・羽根車１７の開口１７ｄを等間隔おいて二箇所に形成したり、五箇所以上に形成したりしてもよい。
【００３４】
・前記散水キャップ１３の散水孔１３ｅの外側の形成数を、９〜１６の範囲に設定し、内側の散水孔１３ｅの形成数を、５〜１６の範囲に設定してもよい。
・前記係止凹部１３ｇを係止凸部とし、前記凸部１７ｆを凹部としてもよい。
【００３５】
・本体部１２と取っ手部を一体に成形してもよい。
【符号の説明】
【００３６】
ｇ…隙間、１２…本体部、１２ｃ…水室、１３…散水キャップ、１３ｅ…散水孔、１３ｆ，１７ｆ…凸部、１６…旋回水流発生部材、１６ｊ…軸受部、１７…羽根車、１７ｂ…基板としての平板部、１７ｃ…軸部、１７ｄ…開口、１７ｅ…羽根。
【図１】
2011161023.tif 000003
【図２】
2011161023.tif 000004
【図３】
2011161023.tif 000005
【図４】
2011161023.tif 000006
【図５】
2011161023.tif 000007
【図６】
2011161023.tif 000008
【図７】
2011161023.tif 000009
【図８】
2011161023.tif 000010
【図９】
2011161023.tif 000011
【図１０】
2011161023.tif 000012
【図１１】
2011161023.tif 000013
【図１２】
2011161023.tif 000014
【図１３】
2011161023.tif 000015
【図１４】
2011161023.tif 000016
【図１５】
2011161023.tif 000017
【図１６】
2011161023.tif 000018